(57)【要約】      （修正有）【課題】帰宅直前に住戸内を視認する。【解決手段】住戸内モニタリングシステム１は、エントランスホールに設置され、映像モニタ１４を有するオートロックパネル１０と、オートロックパネル１０に接続された住戸内処理装置２１と、オートロックパネル１０と住戸内処理装置２１間の映像回線を切替る映像回線集合器４１とを備える。住戸内処理装置２１は、住戸内を撮影するカメラ２６と、カメラ２６の映像を取得する映像取得部１１２を有する処理部２３とを備える。オートロックパネル１０は、居住者からの要求を受付けて居住者を識別し認証する認証部１０２と、認証された際に映像回線集合器４１に切替信号を送信して、識別した居住者の住戸に対応する住戸内処理装置２１に映像回線を切替えて接続し、カメラ２６による住戸内の撮影要求を映像取得部１１２に送信し、映像取得部１１２の映像をモニタ１４に表示させる映像部１０４とを備える。【選択図】  図１
2006172274.tif 000002
【特許請求の範囲】
【請求項１】
集合住宅の居住者が帰宅する前に、自宅住戸外から自宅住戸内をモニタリングするための住戸内モニタリングシステムであって、
前記集合住宅に設置された操作パネルと、
前記操作パネルに接続され、住戸内に設置された住戸内処理装置と、
前記操作パネルと前記住戸内処理装置との間に接続され、前記操作パネルと各住戸内処理装置との間の映像回線を切り替える映像回線切替器と、
前記操作パネルに接続されるとともに、映像を表示する表示装置とを備え、
前記住戸内処理装置は、住戸内を撮影する撮影装置と、前記撮影装置を接続するとともに、前記撮影装置で撮影された映像を取得する映像取得部を有する処理装置本体とを備え、
前記操作パネルは、居住者からの住戸内のモニタリングの要求を受け付けて、どの居住者からの要求かを識別し認証する認証部と、前記認証部で正しく認証された際に、前記映像回線切替器に切替信号を送信して、前記認証部が識別した居住者の住戸に対応する前記住戸内処理装置に映像回線を切り替えて接続するとともに、前記撮影装置による住戸内の撮影要求を前記映像取得部に送信し、前記映像取得部で取得された映像を前記表示装置に表示させる映像部とを備えることを特徴とする住戸内モニタリングシステム。
【請求項２】
集合住宅の居住者が帰宅する前に、自宅住戸外から自宅住戸内をモニタリングするための住戸内モニタリングシステムであって、
サーバと、
前記サーバに接続されるとともに、前記集合住宅に設置された操作パネルと、
前記サーバに接続されるとともに、映像を表示する表示装置とを備え、
前記サーバは、前記集合住宅の共用部分に設けられる共用サーバと、前記共用サーバに通信回線を介して接続されるとともに、住戸内に設置された住戸内処理装置とを備え、
前記住戸内処理装置は、住戸内を撮影する撮影装置と、前記撮影装置を接続するとともに、前記撮影装置で撮影された映像を取得する映像取得部を有する処理装置本体とを備え、
前記サーバは、前記映像取得部で取得された映像データを前記撮影装置ごとに記憶する映像データ記憶部を備え、
前記共用サーバは、居住者からの住戸内のモニタリングの要求を受け付けて、どの居住者からの要求かを識別し認証する認証部と、前記認証部で正しく認証された際に、前記映像データ記憶部に記憶された映像データの中から、前記認証部が識別した居住者の住戸に対応する映像データを選択して前記表示装置に表示させる映像部とを備えることを特徴とする住戸内モニタリングシステム。
【請求項３】
請求項２に記載の住戸内モニタリングシステムにおいて、
前記映像データ記憶部は、前記住戸内処理装置に設けられていることを特徴とする住戸内モニタリングシステム。
【請求項４】
請求項１〜３のいずれかに記載の住戸内モニタリングシステムにおいて、
前記住戸内処理装置は、前記処理装置本体に接続され、前記撮影装置で住戸内を撮影する際に当該住戸内を照らす照明装置を備えることを特徴とする住戸内モニタリングシステム。
【請求項５】
請求項１〜４のいずれかに記載の住戸内モニタリングシステムにおいて、
前記撮影装置は、各住戸内の部屋に対応して複数設けられていることを特徴とする住戸内モニタリングシステム。
【請求項６】
請求項５に記載の住戸内モニタリングシステムにおいて、
前記撮影装置ごとに、当該撮影装置の起動および停止を行うためのスイッチ部を備えることを特徴とする住戸内モニタリングシステム。
【請求項７】
請求項２または３に記載の住戸内モニタリングシステムにおいて、
前記住戸内処理装置は、前記処理装置本体に接続され、前記住戸内における人の有無を関知して前記表示装置からアラートを出力させる人感センサを備えることを特徴とする住戸内モニタリングシステム。
【請求項８】
請求項２、３または７に記載の住戸内モニタリングシステムにおいて、
前記映像データ記憶部に記憶された映像データを前記表示装置に表示する際に、前記映像データにモザイク処理等の映像を不明瞭にするための画像処理を行う画像処理部を備えることを特徴とする住戸内モニタリングシステム。
【発明の詳細な説明】
【技術分野】
【０００１】
本発明は、住戸内モニタリングシステムに関し、特に、帰宅する直前に住戸内を視認できる住戸内モニタリングシステムに関する。
【背景技術】
【０００２】
近年、集合住宅には、オートロック機構が設けられている。このオートロック機構は、例えば、帰宅した居住者が、エントランスホール等に設置されたオートロックパネルのキー受付部（鍵穴）に住戸の鍵を差し込んで暗証番号を入力して認証されると、通常閉じられた状態にある自動ドアが開いて中へ入ることができるようにするものである。また、居住者以外の訪問者が訪れた場合には、訪問者がオートロックパネルに設けられたテンキーから部屋番号を入力して居住者を呼び出すと、エントランスホールに設けられたカメラが作動してエントランスホールの訪問者が撮影されたり、マイクが作動して居住者と訪問者との間で通話ができるようになる。このため、居住者は、住戸内に設置されたモニターからエントランスホールの訪問者を視認したり、マイクを通じて会話する等して確認してから、自動ドアを解錠して訪問者を招き入れる。このため、集合住宅の防犯性が高まる。
【０００３】
また、集合住宅の各住戸内を監視するための装置も開発されている（例えば、特許文献１参照）。この装置では、各住戸に、住戸内を視認可能なカメラ等を備える住宅情報盤を設置し、住戸内で何らかの異常が発生した場合にのみ、管理人室に設置された監視盤から住宅情報盤へのアクセスが可能となり、前記カメラを介して管理人室から住戸内を視認できる。このため、異常のあった場合にのみ管理人が住戸内を視認できるため、各住戸での異常の有無を監視しつつ、各住戸のプライバシーも最低限守られている。
【特許文献１】特開平６−２２５０３２号公報
【発明の開示】
【発明が解決しようとする課題】
【０００４】
ところで、従来のオートロック機構を備えた集合住宅でも、外出中に空き巣やストーカー等の侵入者が忍び込んで住戸内に潜んでいる可能性も否定できない。このため、例えば、一人暮らしの女性等の居住者は、住戸内に入る直前に住戸内の様子を視認して、住戸内の安全を確かめてから帰宅したいという要望がある。
また、特許文献１に示す装置は、異常が起こった後に住戸内を視認するための装置であるため、住戸内に異常があるか否かを確認したいという要望に応えるものではない。さらに、あくまで管理人が視認するものであるため、居住者本人が住戸内を視認できず上記要望を十分に達成できない。
【０００５】
本発明の目的は、帰宅する直前に住戸内を視認できる住戸内モニタリングシステムを提供することにある。
【課題を解決するための手段】
【０００６】
本発明は、集合住宅の居住者が帰宅する前に、自宅住戸外から自宅住戸内をモニタリングするための住戸内モニタリングシステムであって、前記集合住宅に設置された操作パネルと、前記操作パネルに接続され、住戸内に設置された住戸内処理装置と、前記操作パネルと前記住戸内処理装置との間に接続され、前記操作パネルと各住戸内処理装置との間の映像回線を切り替える映像回線切替器と、前記操作パネルに接続されるとともに、映像を表示する表示装置とを備え、前記住戸内処理装置は、住戸内を撮影する撮影装置と、前記撮影装置を接続するとともに、前記撮影装置で撮影された映像を取得する映像取得部を有する処理装置本体とを備え、前記操作パネルは、居住者からの住戸内のモニタリングの要求を受け付けて、どの居住者からの要求かを識別し認証する認証部と、前記認証部で正しく認証された際に、前記映像回線切替器に切替信号を送信して、前記認証部が識別した居住者の住戸に対応する前記住戸内処理装置に映像回線を切り替えて接続するとともに、前記撮影装置による住戸内の撮影要求を前記映像取得部に送信し、前記映像取得部で取得された映像を前記表示装置に表示させる映像部とを備えることを特徴とする。
【０００７】
本発明によれば、居住者は、住戸内に入る直前に例えばエントランスホール等に設置した表示装置で住戸内の様子を確認できるため、安心して住戸へと帰宅できる。このため、住戸内に侵入者がいるかもしれないという不安を払拭できる。また、例えば、操作パネルを、一般に集合住宅のエントランスホールに設けられるオートロックパネルに適用し、表示装置をエントランスホールに設けた場合には、自動ドアの解錠操作を行う際に、表示装置によって住戸内を確認できるため、煩雑な作業等を行うことなく簡単に住戸内を視認できる。
【０００８】
また、本発明は、集合住宅の居住者が帰宅する前に、自宅住戸外から自宅住戸内をモニタリングするための住戸内モニタリングシステムであって、サーバと、前記サーバに接続されるとともに、前記集合住宅に設置された操作パネルと、前記サーバに接続されるとともに、映像を表示する表示装置とを備え、前記サーバは、前記集合住宅の共用部分に設けられる共用サーバと、前記共用サーバに通信回線を介して接続されるとともに、住戸内に設置された住戸内処理装置とを備え、前記住戸内処理装置は、住戸内を撮影する撮影装置と、前記撮影装置を接続するとともに、前記撮影装置で撮影された映像を取得する映像取得部を有する処理装置本体とを備え、前記サーバは、前記映像取得部で取得された映像データを前記撮影装置ごとに記憶する映像データ記憶部を備え、前記共用サーバは、居住者からの住戸内のモニタリングの要求を受け付けて、どの居住者からの要求かを識別し認証する認証部と、前記認証部で正しく認証された際に、前記映像データ記憶部に記憶された映像データの中から、前記認証部が識別した居住者の住戸に対応する映像データを選択して前記表示装置に表示させる映像部とを備えることを特徴とする。
【０００９】
ここで、前記映像データ記憶部は、前記住戸内処理装置に設けられていてもよい。
以上の住戸内モニタリングシステムにおいて、前記住戸内処理装置は、前記処理装置本体に接続され、前記撮影装置で住戸内を撮影する際に当該住戸内を照らす照明装置を備える構成としてもよい。以上の住戸内モニタリングシステムにおいて、前記撮影装置は、各住戸内の部屋に対応して複数設けられていてもよい。この際、前記撮影装置ごとに、当該撮影装置の起動および停止を行うためのスイッチ部を備える構成としてもよい。
【００１０】
また、前記住戸内モニタリングシステムにおいて、前記住戸内処理装置は、前記処理装置本体に接続され、前記住戸内における人の有無を関知して前記表示装置からアラートを出力させる人感センサを備える構成としてもよい。この際、前記映像データ記憶部に記憶された映像データを前記表示装置に表示する際に、前記映像データにモザイク処理等の映像を不明瞭にするための画像処理を行う画像処理部を備える構成としてもよい。
【発明の効果】
【００１１】
本発明によれば、住戸内に入る直前に表示装置で住戸内の様子を確認することができるため、安心して住戸へと帰宅できるという効果がある。
【発明を実施するための最良の形態】
【００１２】
＜第１実施形態＞
本発明の第１実施形態に係る住戸内モニタリングシステムについて図面を参照して説明する。図１は、本発明の第１実施形態に係る住戸内モニタリングシステム１の構成を示すブロック図である。住戸内モニタリングシステム１は、集合住宅の居住者が帰宅する前に、自宅住戸外から自宅住戸内をモニタリングするためのシステムである。図１に示すように、住戸内モニタリングシステム１は、集合住宅のエントランスホールに設置される操作パネルとしてのオートロックパネル１０と、各住戸に設置される住戸部処理装置２０と、集合住宅の共用部分に設置される共用部処理装置４０とを備えている。
【００１３】
オートロックパネル１０は、エントランスホールに設置された自動ドア５０を解錠するものであり、各処理を行う処理部１１と、キー受付部１２と、入力キー１３と、モニタ１４と、カメラ１５と、マイク１６と、スピーカ１７とを備えている。キー受付部１２は、例えば、各住戸の施錠・解錠を行うための正しい住戸キーか否かを判別するマスターシリンダとして機能する。入力キー１３は、例えば、認証用のパスワードを入力するテンキーと、各住戸を呼び出すチャイムキーと、自動ドアを解錠する解錠キーとを有する。モニタ１４は、各住戸内の映像を表示する。カメラ１５は、エントランスホールの訪問者等を撮影する。マイク１６は、訪問者の声を集音する。スピーカ１７は、各住戸の音声を出力する。なお、処理部１１の機能については後述する。
【００１４】
また、図２は、オートロックパネル１０を示す正面図である。図２に示すように、オートロックパネル１０は、キー受付部１２、入力キー１３、モニタ１４、カメラ１５、マイク１６、およびスピーカ１７を一体的に構成されたパネル状のものである。モニタ１４は、斜視防止ディスプレイとして構成されるとともに、当該モニタ１４の周囲に衝立等が設置され、周囲から覗き見できないようになっている。なお、オートロックパネル１０を集合住宅のエントランスホールに設けたが、周囲からの覗き見を防止するために、オートロックパネル１０を電話ボックスのような個室内に設けてもよい。
【００１５】
図１に戻って、住戸部処理装置２０は、住戸内に設置される住戸内処理装置２１と、各住戸の玄関先の共用廊下に設置される住戸外処理装置２２とを備えている。
住戸内処理装置２１は、各処理を行う処理装置本体としての処理部２３と、スイッチ（ＳＷ）２４と、照明２５と、カメラ２６と、モニタ２７と、マイク２８と、スピーカ２９とを備えている。スイッチ２４は、照明２５およびカメラ２６の起動および停止（オン・オフ）を切り替えるものである。照明２５は、カメラ２６での撮影時に点灯して住戸内を照らす。カメラ２６は、住戸内を撮影するものであり、一般的なカメラの他に、赤外線カメラや暗視カメラ等の特殊なカメラを採用してもよい。モニタ２７は、オートロックパネル１０のカメラ１５で撮影された映像を表示する。マイク２８は、住戸内の音声を取得する。スピーカ２９は、オートロックパネル１０のマイク１６や住戸外処理装置２２のマイクで取得された音声を出力する。なお、処理部２３については後述する。
【００１６】
なお、照明２５およびカメラ２６を住戸内の各部屋に対応して複数設置するとともに、各照明２５およびカメラ２６に対応して複数のスイッチ２４を設ける構成としてもよい。このような構成により、住戸内の部屋ごとにカメラ２６等のオン・オフの状態を設定できるため、例えば、娘の部屋のカメラ２６をオフ状態とすることにより、父親が娘の部屋を視認できないようにする等の家族間のプライバシーを保護できる。ただし、住戸内の居住者が全員同時に帰宅するような場合のために、各照明２５およびカメラ２６がオン・オフいずれの状態に設定されていても、全ての照明２５およびカメラ２６を一括してオン状態にできる機能を備えてもよい。このように一括して照明２５やカメラ２６がオン状態となる機能を備える場合には、オフ状態に設定されていたカメラ２６等がオン状態に変更されたこと示すためのアラートが出力される設定としてもよい。
【００１７】
また、所定の部屋については、照明２５やカメラ２６の代わりに人感センサ（例えば、受動赤外線センサ）を設置して、人の有無のみを感知して、モニタ２６にアラートを表示させる構成としてもよい。なお、カメラ２６と前記人感センサの両方を設置して、前記人感センサのみが起動する構成としてもよい。このような人感センサを用いることにより、内部の詳細状況が視認できなくなって家族間のプライバシーを確保できるとともに、当該部屋の在室の有無を確認できる。
【００１８】
また、住戸内モニタリングシステム１は、住戸内の居住者のうちの少なくとも１人でも帰宅している場合に、当該住戸内モニタリングシステム１のモニタリング機能を作動させないようにするモード切替部を備えていてもよい。また、カメラ２６には、家族間のプライバシーに配慮した低解像度モードと、より詳細な視認を可能とする高解像度モードとを、例えば光学的に切り替える解像度切替部が設けられていてもよい。
【００１９】
住戸外処理装置２２は、玄関先を撮影するカメラ３０と、玄関先の音声を取得するマイク３１と、住戸内のマイク２８で取得された音声を出力するスピーカ３２とを備え、マイク３１およびスピーカ３２を介して、住戸内と玄関先との間で通話できる。
【００２０】
共用部処理装置４０は、映像回線集合器４１と、映像回線分配器４２と、音声切替器４３とを備えている。映像回線集合器４１は、オートロックパネル１０からの呼び出しに応じて、呼び出した住戸内処理装置２１に回線を切り替える。映像回線分配器４２は、オートロックパネル１０からの呼び出しに応じて、呼び出した住戸内処理装置２１に回線を切り替える。これにより、オートロックパネル１０のカメラ１５で撮影された映像が住戸内のモニタ２７に表示される。音声切替器４３は、オートロックパネル１０からの呼び出しに応じて、呼び出した住戸内処理装置２１に回線を切り替える。これにより、住戸内とエントランスホールとの通話が可能となる。なお、映像回線集合器４１と映像回線分配器４２とが、本発明の映像回線切替器に対応し、これらの機器４１，４２の機能を一体的に構成したものとしてもよい。
【００２１】
オートロックパネル１０の処理部１１は、認証部１０２と、映像部１０４と、音声部１０６と、解錠部１０８とを備えている。認証部１０２は、キー受付部１２に住戸キーが挿入されて入力キー１３からパスワードが入力された際に、居住者からの住戸内モニタリングの要求を受け付けてどの居住者からの要求かを識別し、入力されたパスワードが正しいか否かを認証する。映像部１０４は、認証部１０２で正しく認証された際に、映像回線集合器４１に切替信号を送信して、認証部１０２で識別された住戸に対応する住戸内処理装置２１に回線を切り替えて接続させるとともに、カメラ起動信号および照明起動信号を住戸内処理装置２１に送信する。音声部１０６は、オートロックパネル１０からの呼び出しに応じて音声配線を接続する。解錠部１０８は、オートロックパネル１０の入力キー１３からの解錠操作に応じて解錠信号を送信して自動ドア５０を開く。
【００２２】
住戸内処理装置２１の処理部２３は、映像取得部１１２と、表示部１１４と、音声部１１６とを備えている。映像取得部１１２は、映像部１０４からの起動信号に応じて、カメラ２６および照明２５を起動させて住戸内の映像を取得し、取得した映像を映像回線集合器４１を介して映像部１０４へと送信する。すると、映像部１０４は、送信されてきた映像をオートロックパネル１０のモニタ１４に表示させる。この際、スイッチ２４がオンになっている場合にのみ、各起動信号がカメラ２６や照明２５に送信され、スイッチ２４がオフになっている場合には起動信号が送信されない。表示部１１４は、映像回線分配器４２を介して送信されてきた、カメラ１５によって撮影されたエントランスホールの映像をモニタ２７に表示させる。音声部１１６は、エントランスホールと住戸内の間と、玄関先と住戸内との間との通話を可能とするものである。
【００２３】
このような住戸内モニタリングシステム１の各処理の流れについて説明する。
図３は、住戸内モニタリングシステム１における処理の流れを示すフローチャートである。図３に示すように、まず、帰宅した居住者は、住戸キーをキー受付部１２に差し込んで、入力キー１３からパスワードを入力する（Ｓ１００）。認証部１０２は、居住者からの要求を受け付けてどの居住者かを識別した上で入力されたパスワードが正しいか否か認証する（Ｓ１０２）。正しく認証されると、処理部１１は、映像回線集合器４１に切替信号を送信して、認証部１０２で識別された住戸に対応して回線を切替えさせるとともに（Ｓ１０４）、映像取得部１１２に照明２５およびカメラ２６の起動信号を送信する（Ｓ１０６）。スイッチ２４がオンになっている場合には、照明２５およびカメラ２６が起動して、照明２５によって照らされた住戸内がカメラ２６によって撮影され、撮影された映像がオートロックパネル１０のモニタ１４に表示される（Ｓ１０８）。
【００２４】
次に、エントランスホールにいる居住者は、オートロックパネル１０のモニタ１４に表示された映像を確認し（Ｓ１１０）、その結果、住戸内に異常がないと判断した場合には、入力キー１３の解錠キーを押して解錠操作を行うと（Ｓ１１２）、解錠部１０８が自動ドア５０に解錠信号を送信し自動ドア５０が開く（Ｓ１１４）。また、映像を確認した結果、住戸内に異常があると判断した場合には、住戸内に入る前に、管理人や警察等に通報したり、住戸内に向けて威嚇をしたりする（Ｓ１１６）。このようにして、エントランスホールから住戸内の様子を確認できる。
【００２５】
また、住戸内モニタリングシステム１は、居住者以外の訪問者が訪れた場合には、通常のオートロックシステムとして機能する。図４は、住戸内モニタリングシステム１でのオートロックシステムの処理の流れを示すフローチャートである。図４に示すように、例えば、訪問者が、エントランスホールのオートロックパネル１０の入力キー１３から、部屋番号を押してチャイムキーを押すと（Ｓ１２０）、処理部１１から映像回線分配器４２に切替信号が送信されて、対応する住戸内処理装置２１に映像回線が接続され、オートロックパネル１０のカメラ１５で撮影された映像が住戸内処理装置２１のモニタ２７に表示される（Ｓ１２２）。さらに、音声部１０６から音声切替器４３に切替信号が送信されて、オートロックパネル１０と対応する住戸内処理装置２１との間で音声配線が接続される（Ｓ１２４）。これにより、オートロックパネル１０のマイク１６およびスピーカ１７と住戸内処理装置２１のマイク２８およびスピーカ２９を通じて通話できる。
【００２６】
次に、居住者は、モニタ１４に表示された映像や通話を通じて住戸内を確認できた場合には、住戸内処理装置２１の解錠キーを操作して、自動ドア５０を解錠する（Ｓ１２６）。そして、解錠された自動ドア５０から入った訪問者が各住戸の玄関先にきた場合には、訪問者が玄関先に設置された住戸外処理装置２２に設けられたチャイムを押すと、住戸外処理装置２２のカメラ３０によって玄関先が撮影されるとともに（Ｓ１２８）、住戸外処理装置２２と住戸内処理装置２１との音声配線が接続され、玄関先の訪問者と居住者とが通話可能となる（Ｓ１３０）。その後、居住者は、モニタ２７の映像や通話によって訪問者を確認してから、玄関ドアの解錠を行う（Ｓ１３２）。このようにして、訪問者を住戸内に招き入れることができる。
【００２７】
本実施形態によれば、以下のような効果がある。
(１)居住者は、住戸内に入る直前にエントランスホールに設けられたモニタ１４で住戸内の様子を確認することができるため、安心して住戸へと帰宅できる。このため、住戸内に侵入者がいるのではないかという不安を払拭することができる。
【００２８】
(２)オートロックパネル１０で自動ドア５０の解錠操作を行う際に、モニタ１４によって住戸内を確認できるため、煩雑な作業等を行うことなく簡単に住戸内を視認できる。
【００２９】
(３)従来から用いられているオートロックシステムを利用して、エントランスホール側から住戸内を確認できる通信線を設置し、配線を適宜切り替え可能な映像回線集合器４１を備えたので、本システム１を比較的簡単に組み込むことができる。
【００３０】
(４)モニタ１４を斜視防止ディスプレイとして構成するとともに、モニタ１４の周囲に衝立等を設置したので、周囲からの覗き見を防止できて、プライバシー性を高めることができる。
【００３１】
(５)カメラ２６をオン・オフできるスイッチ２４を設けたので、例えば、居住者が住戸内にいる場合には、居住者は、カメラ機能を簡単にオフにすることができ、誰からも監視されていない安心感を得ることができる。なお、スイッチ２４は住戸外処理装置２２に設置されてもよい。また、スイッチ２４は、管理人室に設置される防犯制御盤に連動する構成や、住戸玄関の施錠に応じて起動する構成としてもよい。
【００３２】
＜第２実施形態＞
次に、本発明の第２実施形態に係る住戸内モニタリングシステム２について説明する。なお、以下、前記第１実施形態と同一または相当する構成部品には、同じ符号を付して、その説明を省略または簡略化する。図５は、本実施形態に係る住戸内モニタリングシステム２の構成を示すブロック図である。図５に示すように、住戸内モニタリングシステム２は、オートロックパネル１０と、エントランスホールに設置された共用サーバ２００と、共用サーバ２００にＬＡＮ等の通信回線を介して接続されるとともに、各住戸に設置された住戸部処理装置２２０とを備えている。なお、共用サーバ２００と住戸部処理装置２２０とが、本発明のサーバに対応する。
【００３３】
共用サーバ２００は、認証部２０２と、映像部２０４と、映像データ記憶部２０６と、通信部２０８と、音声部２１０と、解錠部２１２とを備えている。認証部２０２は、キー受付部１２に住戸キーが挿入された状態で、居住者からの要求を受け付けてどの居住者からの要求かを識別するとともに入力キー１３から入力されたパスワードが正しいか否かを認証する。映像部２０４は、認証部２０２で正しく認証された場合に、認証部２０２で識別された住戸に対応する住戸内処理装置２１に、通信部２０８を介してカメラ起動信号および照明起動信号を送信する。
【００３４】
映像データ記憶部２０６は、住戸部処理装置２２０で撮像された映像データを住戸ごとおよび後述するカメラ２６ごとに分けて記憶する。なお、共用サーバ２００は、オートロックパネル１０のモニタに表示させる映像データに対して、この映像データの解像度を高めたり低めたり、モザイク処理を行う等の画像処理部を備えてもよい。これにより、エントランスホールでの他人からの覗き見を防止できる。また、共用サーバ２００は、映像データ記憶部２０６に蓄積された映像データの差分を取得する差分取得部と、この取得された差分データに基づいて住戸内の異常を検知する異常検知部とを備えていてもよい。この場合、異常検知部で異常を検知した場合に、オートロックパネル１０からランプ等によりアラートを出力するアラート出力部を備える構成としてもよい。この場合には、居住者は、アラートが出力された場合にのみ映像を確認すればよい。
【００３５】
通信部２０８は、住戸部処理装置２０との間の通信を制御する。音声部２１０は、オートロックパネル１０からの呼び出しに応じて音声配線を接続する。解錠部２１２は、オートロックパネル１０の入力キー１３からの解錠操作に応じて解錠信号を送信して自動ドア５０を開く。
【００３６】
住戸部処理装置２２０は、住戸内に設置される住戸内処理装置２２１と、各住戸の玄関先の共用廊下に設置される住戸外処理装置２２とを備えている。住戸内処理装置２２１は、各処理を行う処理装置本体としての処理部２２２と、スイッチ（ＳＷ）２４と、照明２５と、カメラ２６と、モニタ２７と、マイク２８と、スピーカ２９とを備えている。スイッチ２４、照明２５およびカメラ２６は、住戸内の各部屋に対応して複数設けられている。なお、カメラ２６としては、ＵＳＢ等により接続可能な、比較的単価の安いＷｅｂカメラやＣＭＯＳカメラ等を採用できる。処理部２２２は、共用サーバ２００との通信を制御する通信部２２３と、映像取得部２２４と、表示部２２５と、音声部２２６とを備えている。映像取得部２２４は、映像部２０４から送信された起動信号に応じて、カメラ２６および照明２５を起動させて、住戸内の映像を取得し、この取得した映像を通信部２２３を介して映像部２０４へ送信する。表示部２２５は、カメラ１５で撮影されたエントランスホール部分の映像をモニタ２７に表示させる。音声部２２６は、エントランスホールと住戸内の間と、玄関先と住戸内との間との通話を可能とするものである。
【００３７】
このような住戸内モニタリングシステム２の各処理の流れについて説明する。
図６は、住戸内モニタリングシステム２における処理の流れを示すフローチャートである。図６に示すように、帰宅した居住者は、住戸キーをキー受付部１２に差し込んで、入力キー１３からパスワードを入力する（Ｓ２００）。認証部２０２は、居住者からの要求を受け付けてどの居住者からの要求かを識別した上で、入力されたパスワードが正しいか否か認証する（Ｓ２０２）。正しく認証されると、映像部２０４は、認証部２０２で識別された住戸に対応する映像取得部２２４に照明２５およびカメラ２６の起動信号を送信する（Ｓ２０４）。スイッチ２４がオンになっている場合には、照明２５およびカメラ２６が起動して、照明２５によって照らされた住戸内がカメラ２６によって撮像され、撮像された映像データは、映像データ記憶部２０６に住戸ごと、さらにカメラ２６ごとに分けて記憶される（Ｓ２０６）。ただし、スイッチ２４がオフになってい場合には、照明２５およびカメラ２６が起動せず撮像されない。撮像された映像は、オートロックパネル１０のモニタ１４に表示される（Ｓ２０８）。モニタ１４に表示される映像は、各カメラ２６ごとの映像の他に、各カメラ２６で撮像された全ての映像を組み合わせた分割表示映像としてもよい。なお、共用サーバ２００が前記画像処理部を備える場合には、各表示映像に、モザイクやスクランブル等の画像処理が施され許可がないと視認できないこととなる。
【００３８】
次に、エントランスホールにいる居住者は、オートロックパネル１０のモニタ１４に表示された映像を確認し（Ｓ２１０）、その結果、住戸内に異常がないと判断した場合には、入力キー１３の解錠キーを押して解錠操作を行うと（Ｓ２１２）、解錠部２１２が自動ドア５０に解錠信号を送信し自動ドア５０が開く（Ｓ２１４）。また、映像を確認した結果、住戸内に異常があると判断した場合には、住戸内に入る前に、管理人や警察等に通報したり、住戸内に向けて威嚇をしたりする（Ｓ２１６）。このようにして、エントランスホールから住戸内を視認できる。
【００３９】
本実施形態によれば、前記第１実施形態の(１)〜(５)と同様の効果に加えて、以下の効果を奏することができる。
(６)共用サーバ２００の映像データ記憶部２０６に住戸ごと、およびカメラ２６ごとに分けて映像データを記憶するようにしたので、映像データの加工等が容易となり、各住戸の安全対策をより一層高度化できる。また、設備配線の通信ではなく、ＬＡＮ等の通信回線を介して各住戸とオートロックパネル１０とを接続するようにしたので、設備配線の敷設が簡単になる。
【００４０】
＜第３実施形態＞
次に、本発明の第３実施形態に係る住戸内モニタリングシステム３について説明する。図７は、本実施形態に係る住戸内モニタリングシステム３の構成を示すブロック図である。図５に示すように、住戸内モニタリングシステム３は、オートロックパネル１０と、エントランスホールに設置された共用サーバ２００と、共用サーバ２００にＬＡＮ等の通信回線を介して接続されるとともに、各住戸に設置された住戸部処理装置３００とを備えている。
【００４１】
共用サーバ２００は、認証部２０２と、映像部２０４と、通信部２０８と、音声部２１０と、解錠部２１２とを備え、第２実施形態とは異なり、前記共用サーバ２００の映像データ記憶部２０６を備えていない。
【００４２】
住戸部処理装置３００は、住戸内に設置される住戸内処理装置３１０と、各住戸の玄関先の共用廊下に設置される住戸外処理装置２２とを備えている。住戸内処理装置３１０は、共用サーバ２００にＬＡＮ等で接続された住戸内サーバ３２０と、スイッチ（ＳＷ）２４と、照明２５と、カメラ２６と、モニタ２７と、マイク２８と、スピーカ２９とを備えている。カメラ２６としては、ＵＳＢ等により接続可能な、比較的単価の安いＷｅｂカメラやＣＭＯＳカメラ等を採用できる。
【００４３】
住戸内サーバ３２０は、共用サーバ２００との通信を制御する通信部３２１と、映像取得部３２２と、表示部３２３と、音声部３２４と、映像データ記憶部３２５とを備えている。映像取得部３２２は、カメラ２６で撮像された映像データをカメラ２６ごとに記憶する。なお、住戸内サーバ３２０は、前述した画像処理部を備える構成としてもよく、この場合には、家族間でのプライバシーを保護できる。また、前述同様に、住戸内サーバ３２０は、前記差分取得部および前記異常検知部を備える構成として、異常検知部で異常を検知した場合に、オートロックパネル１０からアラートを出力するアラート出力部を備える構成としてもよい。表示部３２３は、カメラ１５で撮影されたエントランスホールの映像をモニタ２７に表示させる。音声部３２４は、エントランスホールと住戸内の間と、玄関先と住戸内との間との通話を可能とするものである。
【００４４】
このような住戸内モニタリングシステム３の各処理の流れについて説明する。
図８は、住戸内モニタリングシステム３における処理の流れを示すフローチャートである。図８に示すように、帰宅した居住者は、住戸キーをキー受付部１２に差し込んで、入力キー１３からパスワードを入力する（Ｓ３００）。認証部２０２は、居住者からの要求を受け付けてどの居住者からの要求かを識別した上で、入力されたパスワードが正しいか否か認証する（Ｓ３０２）。正しく認証されると、映像部２０４は、識別された住戸に対応する映像取得部２２４に照明２５およびカメラ２６の起動信号を送信する（Ｓ３０４）。スイッチ２４がオンになっている場合には、照明２５およびカメラ２６が起動して、照明２５によって照らされた住戸内がカメラ２６によって撮像され、撮像された映像データは、住戸内サーバ３２０の映像データ記憶部３２５にカメラ２６ごとに分けて記憶される（Ｓ３０６）。この際、この映像がオートロックパネル１０のモニタ１４に表示される（Ｓ３０８）。
【００４５】
次に、エントランスホールにいる居住者は、オートロックパネル１０のモニタ１４に表示された映像を確認して（Ｓ３１０）、住戸内に異常がなければ解錠操作を行って（Ｓ３１２）、自動ドア５０を開く（Ｓ３１４）。また、住戸内に異常があれば、管理人や警察への通報や威嚇等を行う（Ｓ３１６）。このようにして、エントランスホールから住戸内を視認できる。
【００４６】
本実施形態によれば、前記各実施形態の(１)〜(６)と同様の効果に加えて、以下の効果を奏することができる。
(７)住戸ごとに住戸内サーバ３２０を設け、この住戸内サーバ３２０に住戸内の映像データを記憶させる構成としたので、他の住戸の居住者等によって住戸内の映像を視認されることを防止でき、各住戸のプライバシーを保護できる。
【００４７】
なお、本発明は、前記各実施形態には限定されない。前記実施形態では、パスワードにより認証する構成としたが、例えば、生体認証や、非接触ＩＣカードや磁気カードを併用して認証する構成としてもよい。
【００４８】
また、住戸キーの持ち手等にＲＦＩＤタグを設けておき、キー受付部１２に挿入して回した際に認証がなされ、住戸内のモニタリングが可能となる構成としてもよい。このような構成によれば、住戸キーの複製を難しくすることができ、住戸内をモニタリングできる住戸キーの本数を制限できる。さらに、このような構成において、住戸キーを右に回転させた場合に住戸内の映像がモニタに表示され、住戸キーを左に回転させた場合にモニタに映像が映らず、自動ドアが開くような構成とすることができる。これにより、オートロックパネル１０において、各住戸の居住者が解錠待ちとなることを防止でき、各居住者が円滑に帰宅できる。
【００４９】
また、各住戸部処理装置２０について、エントランスホールのモニタ１４で映像を見ることができる設定と、モニタ１４で映像を見ることができない設定とをライフスタイル等に合わせて適宜切り替えることができる切替部を備える構成としてもよい。これにより、オートロックパネル１０での解錠操作に掛かる時間を短縮できる。
【００５０】
また、オートロックパネル１０に映像ボタンを設けておき、この映像ボタンを押してから解錠操作を行うとモニタ１４に住戸内の映像が表示され、再度映像ボタンを押したり、映像消しボタンを押すと映像が消えて、自動ドア５０が開くようにしてもよい。
【００５１】
また、火災や立てこもり等の非常時に、例えば、管理人等の立ち会いの下、外部から住戸内の状況を確認できる機能を備えていてもよい。
また、エントランスホール以外に、エントランスホールから住戸までの共用部分（廊下やエレベータ内など）にもカメラやモニタを設置して、オートロックパネル１０のモニタ１４や別途設けたモニタから、共用部分の様子を確認できる構成としてもよい。例えば、エレベータ籠内にカメラおよびモニタを設置するとともに、エレベータホールにモニタを設置して、エレベータの呼び出しボタンを押すと、エレベータの籠内の様子がエレベータホールのモニタに表示され、エレベータの籠が着床階に到着する前には、エレベータ籠内のモニタに着床階のエレベータホールの様子が表示されるようにしてもよい。
【００５２】
なお、オートロックパネル１０に複数のモニタ１４を設置して、同時に複数の人間が各住戸内の映像をそれぞれ確認できるようにしてもよい。
また、エントランスホールのオートロックパネル１０にモニタ１４を設置したが、例えば、各住戸の玄関先にモニタを設置して、住戸内に入る前に玄関先で住戸内を視認できる構成としてもよい。このような構成によれば、エントランスホールで解錠操作待ちとなることを防止できる。また、エントランスホールから各住戸の玄関先に行くまでの間に、映像取得部で取得された映像が通信回線を介して居住者の携帯端末に送信され、当該携帯端末の表示画面に表示される構成としてもよい。
また、前記各実施形態では、オートロックパネル１０にモニタ１４を一体的に構成したが、モニタ１４をオートロックパネル１０とは別体としてもよい。
【図面の簡単な説明】
【００５３】
【図１】本発明の第１実施形態に係る住戸内モニタリングシステムの構成を示すブロック図である。
【図２】オートロックパネルを示す正面図である。
【図３】前記住戸内モニタリングシステムにおける処理の流れを示すフローチャートである。
【図４】前記住戸内モニタリングシステムでのオートロックシステムの処理の流れを示すフローチャートである。
【図５】本発明の第２実施形態に係る住戸内モニタリングシステムの構成を示すブロック図である。
【図６】第２実施形態に係る住戸内モニタリングシステムにおける処理の流れを示すフローチャートである。
【図７】本発明の第３実施形態に係る住戸内モニタリングシステムの構成を示すブロック図である。
【図８】第３実施形態に係る住戸内モニタリングシステムにおける処理の流れを示すフローチャートである。
【符号の説明】
【００５４】
１〜３  住戸内モニタリングシステム
１０    オートロックパネル（操作パネル）
１１    処理部
１２    キー受付部
１３    入力キー
１４，２７    モニタ（表示装置）
１５，２６，３０    カメラ（撮影装置）
１６，２８，３１    マイク
１７，２９，３２    スピーカ
２０，２２０，３００  住戸部処理装置
２１，２２１，３１０  住戸内処理装置
２２    住戸外処理装置
２３，２２２    処理部（処理装置本体）
２４    スイッチ（スイッチ部）
２５    照明（照明装置）
４０    共用部処理装置
４１    映像回線集合器（映像回線切替器）
４２    映像回線分配器（映像回線切替器）
４３    音声切替器
５０    自動ドア
１０２，２０２    認証部
１０４，２０４    映像部
１０６，２１０    音声部
１０８，２１２    解錠部
１１２，２２３，２２４，３２２    映像取得部
１１４，２２５，３２３    表示部
１１６，２２６，３２４    音声部
２００    共用サーバ
２０６，３２５    映像データ記憶部
２０８，２２３，３２１    通信部
３２０    住戸内サーバ
【図１】
2006172274.tif 000003
【図２】
2006172274.tif 000004
【図３】
2006172274.tif 000005
【図４】
2006172274.tif 000006
【図５】
2006172274.tif 000007
【図６】
2006172274.tif 000008
【図７】
2006172274.tif 000009
【図８】
2006172274.tif 000010